(57)【特許請求の範囲】
【請求項１】
間仕切本体と、該間仕切本体の上端部または下端部に、上下方向へ移動可能に嵌合され、かつ前記間仕切本体に設けた駆動手段により、前記間仕切本体の上端または下端より進退させられるようにした上下部移動部材と、前記間仕切本体の左右いずれかの側部に、左右方向へ進退可能として嵌合された側部移動部材と、前記上下部移動部材の端部に、左右方向へ摺動可能に嵌挿され、かつ前記側部移動部材の端部に、上下方向へ摺動可能に嵌挿された隅部閉塞部材とを備えた移動間仕切装置において、
前記駆動手段における上下方向へ移動可能な昇降杆の端部に中間部が連結された左右方向を向く連結杆の一端部に、先端部が前記上下部移動部材に連結されたほぼ上下方向を向く第１の押し出し杆の基端部を連結し、かつ前記連結杆の他端部に、先端部が前記隅部閉塞部材に前後方向を向く枢軸をもって枢着された上下方向を向く第２の押し出し杆の基端部を前後方向を向く枢軸をもって枢着することにより、前記隅部閉塞部材を、上下部移動部材とともに、駆動手段により上下動させるようにしたことを特徴とする移動間仕切装置。
【請求項２】
連結杆の中間部を、駆動手段における昇降杆の端部に前後方向を向く連結軸をもって枢着するとともに、第１の押し出し杆の基端部及び先端部を、前記連結杆の一端部及び上下部移動部材に、それぞれ前後方向を向く枢軸をもって枢着した請求項１記載の移動間仕切装置。
【請求項３】
昇降杆の引き込み時に、連結杆の両端部、またはそこに枢着された第１及び第２の押し出し杆の基端部に当接することにより、前記上下部移動部材と隅部閉塞部材とを、ほぼ同一高さに戻す補正手段を設けた請求項２記載の移動間仕切装置。
【請求項４】
補正手段を、間仕切本体内に左右方向に移動可能として支持され、かつ側部移動部材を左右方向へ移動させる押し出し杆とした請求項３記載の移動間仕切装置。
【請求項５】
第１及び第２の押し出し杆の基端部に、補正手段に当接可能なローラを設けた請求項３または４記載の移動間仕切装置。
【請求項６】
側部移動部材が間仕切本体内に引き込まれたとき、第２の押し出し杆が内向きに傾倒し、かつ側部移動部材が間仕切本体より側方に押し出されたとき、第２の押し出し杆がほぼ垂直方向を向くようにした請求項１〜５のいずれかに記載の移動間仕切装置。
【発明の詳細な説明】
【０００１】
【発明の属する技術分野】
本発明は、宴会場や多目的ホール等の内部を仕切るのに用いられる移動間仕切装置に関する。
【０００２】
【従来の技術】
従来、上述のような移動間仕切装置としては、間仕切本体の上端及び下端に、それぞれ、上下方向へ移動可能に嵌合された上下部移動部材と、間仕切本体の側部に、左右方向へ移動可能に嵌合された側部移動部材と、上下部移動部材の端部に左右方向へ摺動可能に嵌挿され、かつ側部移動部材の上下の端部に上下方向へ摺動自在に嵌挿された隅部閉塞部材とを設け、上下部移動部材及び側部移動部材を、駆動手段により、間仕切本体より突出させたとき、上下部移動部材を天井及び床面に押し付けるとともに、上下部移動部材の端部と側部移動部材の端部との角隅部に形成される矩形の空間を、隅部閉塞部材によって閉塞するようにしたものがある（例えば、実公昭55-31195号公報参照）。
【０００３】
【発明が解決しようとする課題】
しかし、上記したような従来の移動間仕切装置においては、上下部移動部材と隅部閉塞部材との嵌合関係にがた付きがあると、上下部移動部材及び側部移動部材を間仕切本体より突出させたとき、隅部閉塞部材の押圧力が不足して、隅部閉塞部材を天井及び床面に押し付けることができなくなり、隅部閉塞部材と天井及び床面との間に隙間が生じて、遮音効果が低下するおそれがあった。
【０００４】
そこで本出願人は、隅部閉塞部材と天井及び床面との間に隙間が生じないようにして、従来の問題点を解消した移動間仕切装置を、先に特許出願（特願平１１−３６７６３６号）している。
【０００５】
この移動間仕切装置は、駆動手段における上下方向へ移動する昇降杆の先端部に固着された案内筒に、摺動杆を左右方向へ摺動自在に嵌挿するとともに、先端部が上下部移動部材及び隅部閉塞部材に止着された第１の押し出し杆及び第２の押し出し杆の基端部を、案内筒及び摺動杆に、それぞれ止着することにより、駆動手段をもって、上下部移動部材及び隅部閉塞部材を押動させるようにしたものである。
【０００６】
しかし、上述の移動間仕切装置においては、側部移動部材と隅部閉塞部材との間の摺動抵抗等により、上下部移動部材と隅部閉塞部材とが上下方向へ傾いた状態で、間仕切本体に収容される場合がある。このような状態になると、摺動杆と隅部閉塞部材との移動方向（左右方向）にずれが生じ、案内筒と摺動杆との間の摺動抵抗が増大して、側部移動部材を円滑に移動させることができなくなる。
【０００７】
本発明は、従来の技術が有する上記のような問題点に鑑み、角隅部と天井または床面との間に隙間が生じないように確実に閉塞することができ、かつ側部移動部材及び隅部閉塞部材を、円滑に左右方向へ移動させることができるようにした移動間仕切装置を提供することを目的としている。
【０００８】
【課題を解決するための手段】
本発明によると、上記課題は、次のようにして解決される。
（１）間仕切本体と、該間仕切本体の上端部または下端部に、上下方向へ移動可能に嵌合され、かつ前記間仕切本体に設けた駆動手段により、前記間仕切本体の上端または下端より進退させられるようにした上下部移動部材と、前記間仕切本体の左右いずれかの側部に、左右方向へ進退可能として嵌合された側部移動部材と、前記上下部移動部材の端部に、左右方向へ摺動可能に嵌挿され、かつ前記側部移動部材の端部に、上下方向へ摺動可能に嵌挿された隅部閉塞部材とを備えた移動間仕切装置において、前記駆動手段における上下方向へ移動可能な昇降杆の端部に中間部が連結された左右方向を向く連結杆の一端部に、先端部が前記上下部移動部材に連結されたほぼ上下方向を向く第１の押し出し杆の基端部を連結し、かつ前記連結杆の他端部に、先端部が前記隅部閉塞部材に前後方向を向く枢軸をもって枢着された上下方向を向く第２の押し出し杆の基端部を前後方向を向く枢軸をもって枢着することにより、前記隅部閉塞部材を、上下部移動部材とともに、駆動手段により上下動させる。
【０００９】
（２）上記(１)項において、連結杆の中間部を、駆動手段における昇降杆の端部に前後方向を向く連結軸をもって枢着するとともに、第１の押し出し杆の基端部及び先端部を、前記連結杆の一端部及び上下部移動部材に、それぞれ前後方向を向く枢軸をもって枢着する。
【００１０】
（３）上記(２)項において、昇降杆の引き込み時に、連結杆の両端部、またはそこに枢着された第１及び第２の押し出し杆の基端部に当接することにより、前記上下部移動部材と隅部閉塞部材とを、ほぼ同一高さに戻す補正手段を設ける。
【００１１】
（４）上記(３)項において、補正手段を、間仕切本体内に左右方向に移動可能として支持され、かつ側部移動部材を左右方向へ移動させる押し出し杆とする。
【００１２】
（５）上記(３)または(４)項において、第１及び第２の押し出し杆の基端部に、補正手段に当接可能なローラを設ける。
【００１３】
（６）上記(１)〜(５)項のいずれかにおいて、側部移動部材が間仕切本体内に引き込まれたとき、第２の押し出し杆が内向きに傾倒し、かつ側部移動部材が間仕切本体より側方に押し出されたとき、第２の押し出し杆がほぼ垂直方向を向くようにする。
【００１４】
【発明の実施の形態】
以下、本発明の一実施形態を、図面を参照しながら説明する。
図１に示すように、正面形が矩形をなす間仕切本体(１)は、部屋の天井(Ａ)に固着された左右方向のレール(図示略)に沿って走行可能な左右１対の走向体(２)によって吊支されている。
【００１５】
間仕切本体(１)は、内部にウレタンフォーム等の遮音材を充填した前後１対のパネル(３)を有し、かつ間仕切本体(１)の上端及び下端には、それぞれ上下に開口する左右方向の横溝(４)(４)が形成されている。また、間仕切本体(１)の右側端には、上下方向に延び、かつ右側方に開口するとともに、上下の端部が上記の左右方向の横溝(４)(４)の右端部と連続する上下方向の縦溝(５)が形成されている。
【００１６】
横溝(４)には、間仕切本体(１)と天井(Ａ)または床面(Ｂ)との間隙を閉塞する左右方向を向く上部及び下部移動部材(６)(７)(これらを共通化したものが上下部移動部材である)が、それぞれ上下方向へ移動自在に嵌合されている。
【００１７】
縦溝(５)には、間仕切本体(１)と側壁(Ｃ)との間の間隙を閉塞する上下方向を向く側部移動部材(８)が、左右方向へ移動自在に嵌合されている。
【００１８】
上部移動部材(６)は、下向きコ字状の断面形をなしている。側部移動部材(８)は、上部移動部材(６)と同様の外向きコ字状の断面形をなしている。
【００１９】
下部移動部材(７)は、図に明示していないが、上部移動部材(６)と上下対称形をなしている。
【００２０】
間仕切本体(１)の右側上下部の角隅部に配設される隅部閉塞部材(９)(10)は、上下部移動部材(６)(７)の右端部に、左右方向へ摺動自在に嵌挿される水平部(9a)(10a)と、側部移動部材(８)の上下端部に、上下方向へ摺動自在に嵌挿される垂直部(9b)(10b)を有する、正面視がほぼ横向きＬ字形をなしている。
【００２１】
側部移動部材(８)を左右方向へ移動させる駆動手段(11)は、図１に示すように、間仕切本体(１)の左側部に設けたギヤボックス(11a)と、このギヤボックス(11a)より上下に延出し、ギヤボックス(11a)を回転ハンドル(図示略)により正逆回転させることにより、ねじ送り作用によって、互いに同期して伸縮させられる上下１対の伸縮杆(12)(13)と、両伸縮杆(12)(13)の上下の先端部に外端部が枢着された上下１対の傾斜リンク(14)(15)と、間仕切本体(１)に設けた左右１対のガイド手段(16)により、左右方向へ直線移動可能として支持され、右端が側部移動部材(８)に止着され、かつ左部が傾斜リンク(14)(15)の内端部が枢着された左右方向を向く上下１対の押し出し杆(17)(18)とにより形成されている。
【００２２】
上下部移動部材(６)(７)を上下方向へ移動させる駆動手段(19)は、図１に示すように、ギヤボックス(19a)と、このギヤボックス(19a)の右側方に配設され、ギヤボックス(19a)を回転ハンドル(図示略)により正逆回転させることにより、ギヤボックス(19a)から右方に延出するねじ杆(20)が回転させられて、上下方向へ伸縮させられるようにしたパンタグラフ機構(21)と、パンタグラフ機構(21)より上下方向へ延出し、パンタグラフ機構(21)が上下方向へ伸縮することにより、互いに同期して上下逆向きに移動する昇降杆(22)(23)とにより形成されている。
【００２３】
昇降杆(22)(23)の上下端部には、それぞれ、左右方向を向く連結杆(24)(25)の中央部が、前後方向を向く連結軸(24a)(25a)により、上下方向に回動可能に連結されている。
【００２４】
上下の各連結杆(24)(25)の左端部には、それぞれ、上下方向を向く第１の押し出し杆(26)(27)の基端部が、前後方向を向く枢軸(26a)(27a)により枢着されている。上方の第１の押し出し杆(26)の先端(上端)は、上部移動部材(６)に、前後方向を向く枢軸(26b)により枢着され、また下方の第１の押し出し杆(27)の先端(下端)は、下部移動部材(７)に、前後方向を向く枢軸(27b)により枢着されている。
【００２５】
各連結杆(24)(25)の右端部には、それぞれ、上下方向を向く第２の押し出し杆(28)(29)の基端部が、前後方向を向く枢軸(28a)(29a)により枢着されている。上方の押し出し杆(28)の先端(上端)は、上方の隅部閉塞部材(９)の水平部(9a)に、前後方向を向く枢軸(28b)により枢着され、また、下方の第２の押し出し杆(29)の先端(下端)は、下方の隅部閉塞部材(10)の水平部(10a)に、前後方向を向く枢軸(29b)により枢着されている。
【００２６】
第１の押し出し杆(26)(27)及び第２の押し出し杆(28)(29)の基端部には、それぞれ、前後軸まわりに回動しうるローラ(30)(31)が設けられている。
【００２７】
第１の押し出し杆(26)(27)の基端部に枢着されたローラ(30)は、上下部移動部材(６)(７)が横溝(４)内に収容された状態において、図１、図３及び図４に示すように、駆動手段(11)における押し出し杆(17)(18)に当接し、第１の押し出し杆(26)(27)の退避方向（上方の第１の押し出し杆(26)においては下方向、下方の第１の押し出し杆(27)においては上方向）への移動量を制限するようになっている。
【００２８】
第２の押し出し杆(28)(29)は、隅部閉塞部材(９)(10)が側部移動部材(８)とともに縦溝(５)内に収容された状態において、図１及び図３に示すように、枢軸(28a)(29a)を中心に左方へ回動した傾斜状態となり、また、隅部閉塞部材(９)(10)が側部移動部材(８)とともに縦溝(５)から突出することにより、図４に示すように、垂直状態となるようになっている。
【００２９】
第２の押し出し杆(28)(29)の基端部に枢着されたローラ(31)は、第２の押し出し杆(28)(29)が傾斜状態にあるとき、押し出し杆(17)(18)から離間し、また、同じく垂直状態とあるとき、押し出し杆(17)(18)に当接して、第２の押し出し杆(28)(29)の退避方向（上方の第２の押し出し杆(28)においては下方向、下方の第２の押し出し杆(29)においては上方向）への移動量を制限するようになっている。
【００３０】
第１及び第２の押し出し杆(26)〜(29)は、それらの軸線方向へ作用する負荷が予め定めた設定値より小さいときは、最長の長さに維持され、上記負荷が設定値より大となったときには、各圧縮コイルばね(32)が圧縮されて、全長が短くなるようにした二重筒形の伸縮式のものとしてある。
【００３１】
図１及び図３は、上下部移動部材(６)(７)が間仕切本体(１)の横溝(４)内に収容され、かつ側部移動部材(８)、及び隅部閉塞部材(９)(10)が、間仕切本体(１)の縦溝(５)内に収容された状態を示している。
【００３２】
この状態おいて、間仕切本体(１)をレールに沿って部屋を仕切る位置まで移動させ、駆動手段(11)のギヤボックス(11a)に回転ハンドル(図示略)を装着して、その回転ハンドルを正転させると、上下の伸縮杆(12)(13)が互いに収縮し、傾斜リンク(14)(15)が倒伏することにより、図４に示すように、押し出し杆(17)(18)は右方へ押動され、側部移動部材(８)及び上下の隅部閉塞部材(９)(10)は、縦溝(５)から突出して、部屋の側壁(Ｃ)に押し付けられる。
【００３３】
このとき、傾斜状態にある第２の押し出し杆(28)(29)は、隅部閉塞部材(９)(10)の右方への移動に従動し、枢軸(28a)(29a)を中心として右方へ回動して垂直状態となり、上下のローラ(31)が押し出し杆(17)(18)に、それぞれ当接する。
【００３４】
次に、図４に示す状態において、駆動手段(19)のギヤボックス(19a)に回転ハンドル(図示略)を装着して、それを正転させると、ねじ杆(20)は所定の方向に回転して、パンタグラフ機構(21)は上下方向に伸長する。
【００３５】
これにより、上下の昇降杆(22)(23)、連結杆(24)(25)、第１及び第２の押し出し杆(26)〜(29)は、それぞれ上下方向へ移動し、図５に示すように、上下部移動部材(６)(７)及び隅部閉塞部材(９)(10)は、上下の横溝(４)から突出して、それらの上下縁が天井(Ａ)及び床面(Ｂ)に押し付けられる。
【００３６】
各隅部閉塞部材(９)(10)は、第２の押し出し杆(28)(29)を介して、駆動手段(19)により直接押動されるので、それらと天井(Ａ)または床面(Ｂ)との間に、隙間が生じるおそれは小さい。
【００３７】
また、上下部移動部材(６)(７)及び隅部閉塞部材(９)(10)の突出方向への移動時に、隅部移動部材(９)(10)の垂直部(9b)(10b)と側部移動部材(８)との間の摺動抵抗等により、隅部閉塞部材(９)(10)側の移動が重くなると、図６に示すように、上下部移動部材(６)(７)の左端のみが、天井(Ａ)及び床面(Ｂ)に当接する傾斜状態となり、隅部閉塞部材(９)(10)と天井(Ａ)及び床面(Ｂ)との間に、隙間が生じることがある。
【００３８】
しかし、本発明における本実施形態においては、上述のような傾斜状態となった場合でも、上下部移動部材(６)(７)及び隅部閉塞部材(９)(10)を、天井(Ａ)及び床面(Ｂ)に確実に押し付けることができる。
【００３９】
すなわち、図６に示す状態から、駆動手段(19)の昇降杆(22)(23)が、さらに上下方向へ移動させられると、上下部移動部材(６)(７)の左端が天井(Ａ)及び床面(Ｂ)に当接して、それ以上の移動が阻止されているため、連結杆(24)(25)は、枢軸(26a)(27a)を中心に矢示方向へ回動し、第２の押し出し杆(28)(29)を介して、隅部閉塞部材(９)(10)を突出方向へ強制的に移動させ、上下部移動部材(６)(７)及び隅部閉塞部材(９)(10)を天井及び床面(Ｂ)に確実に押し付けることができる。なお、図６は、間仕切本体(１)の上側のみを示し、下側を省略している。
【００４０】
部屋を仕切っている間仕切本体(１)を収納するには、図５において、駆動手段(19)により、第１及び第２の押し出し杆(26)〜(29)を介して、図４に示すように、上下部移動部材(６)(７)及び隅部閉塞部材(９)(10)を横溝(４)内に没入させる。
【００４１】
このとき、隅部移動部材(９)(10)の垂直部(9b)(10b)と側部移動部材(８)との間の摺動抵抗等により、隅部閉塞部材(９)(10)側の移動が重くなると、図７に示すように、上下部移動部材(６)(７)の左端側のみが、左右方向の横溝(４)内に収容される傾斜状態となることがある。
【００４２】
このようになった場合には、図７に示すように、先ず、第１の押し出し杆(26)(27)側のローラ(30)が、上下部移動部材(６)(７)と隅部移動部材(９)(10)とを、ほぼ同一高さに戻すための補正手段をなす押し出し杆(17)(18)に当接し、第１の押し出し杆(26)(27)の退避方向への移動が阻止される。この状態から、昇降杆(22)(23)が退避方向へさらに移動されると、連結杆(24)(25)は、枢軸(26a)(27a)を中心として矢示方向へ回動し、第２の押し出し杆(28)(29)を介して、隅部閉塞部材(９)(10)を退避方向へ強制的に移動させ、図４に示すように、上下部移動部材(６)(７)と隅部移動部材(９)(10)とを水平状態にして、横溝(４)内に収容させることができる。なお、図７は、間仕切本体(１)の上側のみを示し、下側を省略している。
【００４３】
上下部移動部材(６)(７)と隅部閉塞部材(９)(10)とを水平状態とすることにより、駆動手段(11)により、押し出し杆(17)(18)を介して、側部移動部材(８)とともに、隅部閉塞部材(９)(10)を左右方向へ円滑に移動させることができる。そのため、軽い操作力をもって、側部移動部材(８)及び隅部閉塞部材(９)(10)を横溝(４)内に収容させることができる。
【００４４】
なお、本発明は、上述の実施形態に限定されるものではない。例えば、連結杆(24)(25)の中間部を昇降杆(22)(23)の端部に回転不能に固定し、また、第１の押し出し杆(26)(27)の基端部及び先端部を、連結杆(24)(25)及び上下部移動部材(６)(７)に回転不能に固定しても良い。
【００４５】
【発明の効果】
本発明によれば、次のような効果を奏することができる。
（ａ）請求項１記載の発明によると、駆動手段により、上下部移動部材が天井または床に押し付けられるだけでなく、隅部閉塞部材も、駆動手段により押動されて、天井または床に押し付けられるので、隅部閉塞部材と天井または床との間に間隙が生じるのを確実に防止することができ、遮音効果を高めることができる。さらに、第２の押し出し杆を、隅部閉塞部材及び上下部移動部材に左右方向へ回動可能に連結したことにより、隅部閉塞部材を左右方向へ円滑に移動させることができる。
【００４６】
（ｂ）請求項２記載の発明によると、隅部移動部材と側部移動部材との接触面における上下方向の摺動抵抗等により、上部移動部材及び隅部閉塞部材が傾斜状態で突出しても、それらが常に天井または床面と平行になるように補正することができ、上下部移動部材及び隅部閉塞部材と天井及び床面との間に間隙が生じるのをより確実に防止することができる。
【００４７】
（ｃ）請求項３記載の発明によると、上下部移動部材及び隅部閉塞部材を間仕切本体に収容するとき、隅部移動部材と側部移動部材との接触面における上下方向の摺動抵抗等により、上部移動部材及び隅部閉塞部材が傾斜状態で収容されても、それらが常に同一高さになるように補正することができる。これにより、隅部閉塞部材を上下部移動部材に対して左右方向へ円滑に移動させることが可能になり、側部移動部材を左右方向へ容易に移動させることができる。
【００４８】
（ｄ）請求項４記載の発明によると、新たに部品を追加することなく、上下部移動部材と隅部閉塞部材とを同一高さに補正することができる。
【００４９】
（ｅ）請求項５記載の発明によると、押し出し杆の左右方向への移動に伴って、ローラが押し出し杆上を転動しうるため、側部移動部材を左右方向へ円滑に移動させることができる。
【００５０】
（ｆ）請求項６記載の発明によると、駆動手段における昇降杆の上下移動を、隅部閉塞部材に確実に伝達することができ、隅部閉塞部材を確実に上下方向へ移動させることができる。
【図面の簡単な説明】
【図１】本発明の一実施形態における移動間仕切装置の内部構造を示す正面図である。
【図２】同じく、間仕切本体の上隅部を示す斜視図である。
【図３】同じく、上下部移動部材及び側部移動部材が間仕切本体に収容された状態における移動間仕切装置の概略正面図である。
【図４】同じく、側部移動部材のみが間仕切本体から突出した状態における移動間仕切装置の概略正面図である。
【図５】同じく、上下部移動部材及び側部移動部材が間仕切本体から突出した状態における移動間仕切装置の概略正面図である。
【図６】同じく、上下部移動部材及び隅部閉塞部材が傾斜状態で、間仕切本体から突出した状態における移動間仕切装置の要部の概略正面図である。
【図７】同じく、上下部移動部材及び隅部閉塞部材が傾斜状態で、間仕切本体内に収容された状態における移動間仕切装置の要部の概略正面図である。
【符号の説明】
(１)間仕切本体
(２)走行体
(３)パネル
(４)横溝
(５)縦溝
(６)上部移動部材(上下部移動部材)
(6a)切欠き
(７)下部移動部材(上下部移動部材)
(８)側部移動部材
(8a)切欠き
(９)(10)隅部閉塞部材
(9a)(10a)水平部
(9b)(10b)垂直部
(11)駆動手段
(11a)ギヤボックス
(12)(13)伸縮杆
(14)(15)傾斜リンク
(16)ガイド手段
(17)(18)押し出し杆（補正手段）
(19)駆動手段
(19a)ギヤボックス
(20)ねじ杆
(21)パンタグラフ機構
(22)(23)昇降杆
(24)(25)連結杆
(24a)(25a)連結軸
(26)(27)第１の押し出し杆
(26a)(26b)枢軸
(27a)(27b)枢軸
(28)(29)第２の押し出し杆
(28a)(28b)枢軸
(29a)(29b)枢軸
(30)(31)ローラ
(32)コイルばね
(Ａ)天井
(Ｂ)床面
(Ｃ)側壁
【図１】
0004504586.tif 000002
【図２】
0004504586.tif 000003
【図３】
0004504586.tif 000004
【図４】
0004504586.tif 000005
【図５】
0004504586.tif 000006
【図６】
0004504586.tif 000007
【図７】
0004504586.tif 000008